(57)【特許請求の範囲】
【請求項１】
表示装置のバックライトアセンブリであって、
開口部が形成された底板と前記底板の周辺部に配置された側壁を含む収納容器と、
ランプ本体と前記ランプ本体の端部に形成された電極部を含み、前記底板に配置された複数のランプと、
接続ホールが形成されたソケット本体と、前記接続ホールを通り前記ソケット本体と結合される電力印加部材であって、ランプ接続端子と、電源供給基板接続端子と、前記ランプ接続端子と前記電源供給基板接続端子を連結するために前記ランプ接続端子と折曲された形態で連結される端子連結部とを含む電力印加部材とを含む複数のランプソケットと、
前記底板の背面に配置されて前記電力印加部材にランプ駆動電圧を出力する電源供給基板とを有し、
前記端子連結部は、前記ランプ接続端子の一端より延長される水平部と前記電源供給基板接続端子の一端より延長される垂直部とを有して形成することにより、前記電源供給基板接続端子は、相対的に前記ランプ接続端子よりも表示装置のパネルの内部に配置されることを特徴とするバックライトアセンブリ。
【請求項２】
前記接続ホールと連通するように前記ソケット本体に形成された電源供給基板挿入ホールをさらに含むことを特徴とする請求項１に記載のバックライトアセンブリ。
【請求項３】
前記ランプ接続端子と、前記端子連結部と、前記電源供給基板接続端子とは、一体で形成されることを特徴とする請求項２に記載のバックライトアセンブリ。
【請求項４】
前記電力印加部材は、導電性を有する金属からなることを特徴とする請求項１に記載のバックライトアセンブリ。
【請求項５】
前記ランプ接続端子は、ランプが挿入される第１ガイド溝が形成された第１プレートと、前記第１プレートの一側に配置されて前記第１ガイド溝に挿入された前記ランプを押して固定させる板スプリングとを含むことを特徴とする請求項４に記載のバックライトアセンブリ。
【請求項６】
前記ランプソケットは、前記電力印加部材を固定させるために前記ソケット本体と結合するランプソケットカバーをさらに含むことを特徴とする請求項４に記載のバックライトアセンブリ。
【請求項７】
開口部が形成された底板と前記底板の周辺部に配置された側壁を含む収納容器と、
ランプ本体と前記ランプ本体の端部に形成された電極部を含み、前記底板に配置された複数のランプと、
接続ホールと前記接続ホールと連通する電源供給基板挿入ホールとが形成されたソケット本体と、前記接続ホールを通り前記ソケット本体と結合される電力印加部材であって、ランプ接続端子と、電源供給基板接続端子と、前記ランプ接続端子と前記電源供給基板接続端子を連結するために前記ランプ接続端子と折曲された形態で連結される端子連結部とを含む電力印加部材とを含む複数のランプソケットと、
前記電源供給基板挿入ホールにその一側エッジが挿入されて前記電源供給基板接続端子に接触し、ランプ駆動電圧を印加する電源供給基板と、
前記ソケット本体をカバーするサイドカバーと、
前記サイドカバーによって支持される光学シートと、
前記光学シート上に配置された表示パネルとを有し、
前記端子連結部は、前記ランプ接続端子の一端より延長される水平部と前記電源供給基板接続端子の一端より延長される垂直部とを有して形成することにより、前記電源供給基板接続端子は、相対的に前記ランプ接続端子よりも表示装置のパネルの内部に配置されることを特徴とする表示装置。
【請求項８】
前記ランプ接続端子、前記端子連結部、及び前記電源供給基板接続端子は、一体で形成されることを特徴とする請求項７に記載の表示装置。
【発明の詳細な説明】
【技術分野】
【０００１】
本発明は、構成部品の個数とパネルの両側の厚さを減らすことができるバックライトア
センブリと表示装置に関するものである。
【背景技術】
【０００２】
一般的に液晶表示装置に採用されるバックライトアセンブリは光源の配置によって直下型バックライトアセンブリ（ｄｉｒｅｃｔ  ｄｏｗｎｗａｒｄ  ｔｙｐｅ  ｂａｃｋ  ｌｉｇｈｔ  ａｓｓｅｍｂｌｙ）及びエッジ（ｅｄｇｅ）型バックライトアセンブリ（ｅｄｇｅ  ｔｙｐｅ  ｂａｃｋ  ｌｉｇｈｔ  ａｓｓｅｍｂｌｙ）に区分される。
【０００３】
バックライトアセンブリに使用される光源では冷陰極蛍光ランプ（ＣＣＦＬ）が代表的であり、冷陰極蛍光ランプを採用した直下型バックライトアセンブリは収納容器の底板上にランプを固定するため、ランプソケットを含み得る。複数個のランプを容易に組み立てるため、ランプの電極部が差し込まれるランプソケットを具備したバックライトアセンブリが開発された。
特許文献１には、そのようなランプソケット（ランプホルダー）とそれを具備したバックライトアセンブリの一例が開示されている。
【０００４】
このように、従来のランプソケットは、ランプの電極部が差し込まれる部分の下部にインバータ等の電源又は電源出力端子を備えているので、必然的に一定の厚さを有しており、その結果パネルの厚さが、ランプソケットを搭載する両側部で増加する。
このようにパネルの厚さが増加すると、表示装置の形状を多様にすることができず、互換性が低く、外観上良くない。
【０００５】
また、このパネルの厚さの増大を緩和するため、バックライトアセンブリの組み立てにおいて、複数個のランプソケットとインバータ等の電源出力端子を、ワイヤーを介してソルダリング（ｓｏｌｄｅｒｉｎｇ）するか、又は複数個のランプソケットとインバータ等の電源出力端子を直接ソルダリングした。
【０００６】
しかしながら、これによって、バックライトアセンブリの組み立てに多大の時間を要し、ソルダリング工程において、ランプの損傷が頻繁に発生する。また、不良インバータ等の電源を交換する場合、ランプをランプソケットからすべて分離した後、インバータ等の電源を交換しなければならないため、作業の効率性が低下する。
【特許文献１】韓国公開特許２００７−８１２６１号公報
【発明の開示】
【発明が解決しようとする課題】
【０００８】
本発明が解決しようとする他の課題は、ソルダリングを用いることなく、表示装置のパネルの両側部の厚さを減らしたバックライトアセンブリを提供することにある。
【０００９】
本発明が解決しようとするまた他の課題は、ソルダリングを用いることなく、パネルの両側部の厚さを減らした表示装置を提供することにある。
【課題を解決するための手段】
【００１１】
上記他の課題を達成するための本発明の一実施形態によるバックライトアセンブリは、表示装置のバックライトアセンブリであって、開口部が形成された底板と前記底板の周辺部に配置された側壁を含む収納容器と、ランプ本体と前記ランプ本体の端部に形成された電極部を含み、前記底板に配置された複数のランプと、接続ホールが形成されたソケット本体と、前記接続ホールを通り前記ソケット本体と結合される電力印加部材であって、ランプ接続端子と、電源供給基板接続端子と、前記ランプ接続端子と前記電源供給基板接続端子を連結するために前記ランプ接続端子と折曲された形態で連結される端子連結部とを含む電力印加部材とを含む複数のランプソケットと、前記底板の背面に配置されて前記電力印加部材にランプ駆動電圧を出力する電源供給基板とを有し、前記端子連結部は、前記ランプ接続端子の一端より延長される水平部と前記電源供給基板接続端子の一端より延長される垂直部とを有して形成することにより、前記電源供給基板接続端子は、相対的に前記ランプ接続端子よりも表示装置のパネルの内部に配置されることを特徴とする。
【００１２】
上記また他の課題を達成するための本発明の一実施形態による表示装置は、開口部が形成された底板と前記底板の周辺部に配置された側壁を含む収納容器と、ランプ本体と前記ランプ本体の端部に形成された電極部を含み、前記底板に配置された複数のランプと、接続ホールと前記接続ホールと連通する電源供給基板挿入ホールとが形成されたソケット本体と、前記接続ホールを通り前記ソケット本体と結合される電力印加部材であって、ランプ接続端子と、電源供給基板接続端子と、前記ランプ接続端子と前記電源供給基板接続端子を連結するために前記ランプ接続端子と折曲された形態で連結される端子連結部とを含む電力印加部材とを含む複数のランプソケットと、前記電源供給基板挿入ホールにその一側エッジが挿入されて前記電源供給基板接続端子に接触し、ランプ駆動電圧を印加する電源供給基板と、前記ソケット本体をカバーするサイドカバーと、前記サイドカバーによって支持される光学シートと、前記光学シート上に配置された表示パネルとを有し、前記端子連結部は、前記ランプ接続端子の一端より延長される水平部と前記電源供給基板接続端子の一端より延長される垂直部とを有して形成することにより、前記電源供給基板接続端子は、相対的に前記ランプ接続端子よりも表示装置のパネルの内部に配置されることを特徴とする。
【００１３】
その他の実施形態の具体的な事項は詳細な説明及び図面に含まれている。
【発明の効果】
【００１４】
本発明によると、ランプソケットは接続ホールが形成されたソケット本体及び上記接続ホールを通り上記ソケット本体と結合される電力印加部材を含む。
【００１５】
また、電力印加部材はランプ接続端子、電源供給基板接続端子及びランプ接続端子と電源供給基板接続端子を連結するために上記ランプ接続端子と折曲された形態で連結される端子連結部をさらに含む。
【００１６】
従って、ランプソケットはランプ接続端子の垂直下方ではなく水平方向、即ち表示装置のパネルの内部方向に延伸される結果、表示装置のパネルの両側部の厚さを減らすことができ、製品の互換性を拡張し、製品をスリム化し得る。
【００１７】
このようなランプソケットを有するバックライトアセンブリ及び表示装置によると、表示装置のパネルの両側部の厚さを減らす際に、ランプソケットとランプ及び電源供給基板間のワイヤリング及びソルダリング工程を省略できるので、バックライトアセンブリ及び表示装置の組み立て性が向上され、電源供給基板をより容易にリワークし得る。
【発明を実施するための最良の形態】
【００１８】
以下に本発明の利点と特徴、及びそれらを達成する方法を図面を参照して説明する。
なお、明細書全体において同様の参照符号は同様の構成要素を示す。
［ランプソケット］
【００１９】
図１は本発明の一実施形態によるランプソケットの斜視図である。図２は図１に図示されたランプソケットの側面図である。図３は、図１に図示された電力印加部材の斜視図である。
【００２０】
図１ないし図３を参照すると、ランプソケット２０はソケット本体３０及び電力印加部材４０を含む。ランプソケット２０は表示装置において背面光を提供するランプを収納容器に固定し、ランプにランプ駆動電圧を印加する。
【００２１】
ソケット本体３０は立体形状のモールド品であり、ソケット本体３０の上部には接続ホール３５が形成されている。ソケット本体３０の下部には接続ホール３５と連通する電源供給基板挿入ホール３１が形成されている。具体的に電源供給基板挿入ホール３１はソケット本体３０の下部に形成されており、接続ホール３５はソケット本体３０の上面側に開口されている。
【００２２】
電力印加部材４０は接続ホール３５を通りソケット本体３０に結合されている。電力印加部材４０は導電性を有する金属で形成され、インバータ等の電源出力端子と、ランプの電極部のリード線とを電気的に接続する。電力印加部材４０はランプ接続端子４４、電源供給基板接続端子４５、及び、ランプ接続端子４４と電源供給基板接続端子４５を連結する端子連結部４６を含む。
端子連結部４６、ランプ接続端子４４、及び電源供給基板接続端子４５は一体で形成され得る。端子連結部４６は少なくとも一つの折曲部を有し、従って、端子連結部４６は折曲された形態でランプ接続端子４４及び電源供給基板接続端子４５と連結され得る。
ここで折曲部を有する端子連結部４６は、電源供給基板接続端子４５を図で上方にあるランプ接続端子４４と同一垂直線上に配置せず、即ち、電源供給基板接続端子４５とランプ接続端子４４の水平面上の位置を互いの外に配置するように延伸されている。
例えば端子連結部４６は少なくとも一つの水平部と少なくとも一つの垂直部で形成され得る。このように端子連結部４６が水平部を具備することによって、ランプ接続端子４４は電源供給基板接続端子４５と同一垂直線上に配置されない。
従って、ランプ接続端子４４が表示装置の側部に配置される場合、電源供給基板接続端子４５は相対的にランプ接続端子よりも表示装置のパネルの内部に配置され得るので、表示装置の両側部の厚さを減らせる。従って、表示装置に対する互換性が増大され、表示装置をスリム化させ得る。端子連結部４６は多様な形状を有し、ランプ接続端子４４と電源供給基板接続端子４５と連結されるため、２つ以上の曲がった部分が生じ得る。また、端子連結部４６は階段形状を有し得る。ランプ接続端子４４は接続ホール３５を通じて外部に露出され、電源供給基板接続端子４５は電源供給基板挿入ホール３１を通じて外部に露出される。
【００２３】
ランプ接続端子４４は第１プレート４１、第１ガイド溝４２、及び板スプリング４３を含み得る。具体的に、一組の第１プレート４１が並べて配置されており、一組の第１プレート４１の一側は互いに連結されている。第１プレート４１には上から開口されてランプが挿入される第１ガイド溝４２が形成されている。板スプリング４３は第１プレート４１の一側に配置されて第１ガイド溝４２に挿入されたランプを押して固定する。板スプリング４３は一組の第１プレート４１の連結部と一体で形成され得る。このような本発明の実施形態によるランプソケット２０は、ソケットカバーが除外され得る構造であって、第１ガイド溝４２と板スプリング４３を利用してランプを電力印加部材４０のランプ接続端子４４に固定し得る。
【００２４】
電力印加部材４０のランプ接続端子４４にランプが固定される原理を説明すると、ランプの電極は外力の印加を受けて板スプリング４３と第１ガイド溝４２の間に導かれる。この場合板スプリング４３は電極が容易に導入されるように凹面を含み得る。ランプを押すだけでランプの電極が電力印加部材４０の第１ガイド溝４２に容易に導入され、板スプリング４３の弾性により、第１ガイド溝４２の先端に設けた係合溝に押し込まれて固定されるので、ランプの組み立てが非常に簡便である。
【００２５】
さらに、図示しなかったが、本発明の実施形態によると、ランプソケット２０はソケットカバー（未図示）をさらに含み得る。この場合、電力印加部材４０をソケット本体３０に形成されたホールに挿入し、電力印加部材４０のランプ接続端子４４にランプのリード線を差し込んだ後、ソケットカバーをソケット本体３０に挿入してランプのリード線を固定する。
［電力印加モジュール］
【００２６】
図４は本発明の一実施形態による電力印加モジュールの斜視図である。図５は、図４に図示された電力印加モジュールの分解斜視図である。
【００２７】
図４及び図５を参照すると、電力印加モジュール２００は複数のランプと結合され得る複数のランプソケット２０に加えて、複数のランプソケット２０が挿入されて配列される連結プレート２６０を含む。
【００２８】
連結プレート２６０は一方向で長く延長されたプレート形状を有する。連結プレート２６０には複数のソケット固定部２６５が一定の間隔で形成される。ソケット固定部２６５は連結プレート２６０に形成された開口部で形成され得る。
【００２９】
電力印加部材４０及びソケット本体３０で形成されたランプソケット２０はソケット固定部２６５に挿入されて固定され得る。ソケット本体３０に形成された電源供給基板挿入ホール３１は連結プレート２６０の下部に露出する。ソケット本体３０に形成された接続ホール３５は連結プレート２６０の上部に露出する。
【００３０】
さらに、電力印加モジュールは別途の連結プレートを使用せず、複数のランプソケットが一体で形成された形態（未図示）を有し得る。言い換えると、ソケット本体は複数の接続ホール及び複数の電源供給基板挿入ホールを有し得る。
［バックライトアセンブリ］
【００３１】
図６は本発明の一実施形態によるバックライトアセンブリの分解斜視図である。図７は図６に図示されたバックライトアセンブリをＡ−Ａ’線に従い切断した断面図である。
【００３２】
図６及び図７を参照すると、バックライトアセンブリ４００は、複数のランプソケット２０と連結プレート２６０からなる電力印加モジュール２００に加えて、収納容器４１０、複数のランプ４５０、及び電源供給基板４７０を含む。
【００３３】
収納容器４１０は、底板４０５と、底板４０５の周辺部に配置された第１側壁４１１、第２側壁４１３第３側壁４１５及び第４側壁４１７を含む。第１側壁４１１及び第２側壁４１３は互いに対向に配置される。第３側壁４１５及び第４側壁４１７は互いに対向に配置され、第１側壁４１１及び第２側壁４１３に各々連結される。第１側壁４１１、第２側壁４１３、第３側壁４１５及び第４側壁４１７の上段には凸部が形成される。第１側壁４１１及び第２側壁４１３に近接する底板４０５の箇所には多数の開口部４０７が形成される。
【００３４】
ランプ４５０はランプ本体４５１及び電極部４５５を含む。ランプ本体４５１は直管形状を有し、内部に注入されたアルゴン又は水銀のような放電ガスを含む。ランプ本体４５１の端部には電極部４５５が配置される。電極部４５５は放電電極及びリード線を含む。放電電極はランプ本体４５１の内部に配置され、リード線は放電電極からランプ本体４５１の外部に延長される。この他の実施形態においてランプ４５０は外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ；ＥＥＦＬ）であり得る。
【００３５】
ランプソケット２０は連結プレート２６０に形成された開口部に各々挿入される。連結プレート２６０は第１側壁４１１及び第２側壁４１３の近隣に配置される。連結プレート２６０に挿入された複数のランプソケット２０は底板４０５に形成された複数の開口部４０７に各々挿入される。この時電源供給基板挿入ホール３１は底板４０５の下面に露出し、接続ホール３５は収納容器４１０の内側に露出する。
【００３６】
バックライトアセンブリ４００は反射板４０９をさらに含み得る。反射板４０９は収納容器４１０の底板４０５の上面と連結プレート２６０の下面との間に配置されてランプ４５０が出射した光を上部に反射する。
【００３７】
電源供給基板４７０は底板４０５の下面に配置され、ランプ駆動電圧を出力する。電源供給基板４７０は印刷回路基板及び印刷回路基板に実装された、インバータ等の電源供給素子を含み得る。
【００３８】
電源供給基板４７０の一側エッジはランプソケット２０の電源供給基板挿入ホール３１に挿入される。電源供給基板４７０の一側エッジのうち電源供給基板挿入ホール３１に対応する部分は電源供給基板挿入ホール３１に向かって突出される。その結果、電源供給基板４７０の一側エッジは凹凸形状を有する。
【００３９】
電源供給基板４７０の一側端の突出された部分には、インバータ等の電源の出力を受ける電源出力端子（図示せず）が形成される。電源出力端子は、例えば、印刷回路基板に形成された導電配線の一部が表面に露出されて形成され得る。
【００４０】
バックライトアセンブリ４００は、電源供給基板４７０を保護して電磁波の流入及び流出を遮断するケース４７５をさらに含み得る。
【００４１】
バックライトアセンブリ４００は、サイドカバー４８０をさらに含み得る。サイドカバー４８０は収納容器４１０内において、第１側壁４１１及び第２側壁４１３に配置されたランプソケット２０をカバーして保護する。
【００４２】
本発明の実施形態によるランプソケットを採用すると、ランプソケット、ランプ、及び電力印加モジュール間のワイヤリング及びソルダリング工程が省略され、バックライトアセンブリの組立性が向上され得る。
［表示装置］
【００４３】
図８は本発明の実施形態による表示装置の分解斜視図である。図９は図８に図示された表示装置をＢ−Ｂ’線に従い切断した断面図である。
【００４４】
図８及び図９を参照すると、表示装置６００は、収納容器４１０、複数のランプソケット２０、複数のランプ４５０、連結プレート２６０、電源供給基板４７０、サイドカバー４８０に加えて、光学シート７１０、及び表示パネル７５０を含む。
【００４５】
光学シート７１０は  ランプ４５０から出射された光の光学特性を向上させて出射する。光学シート７１０は順に積層された拡散板７１１、拡散シート７１３、及び集光シート７１５を含み得る。拡散板７１１、拡散シート７１３、及び集光シート７１５は、第３側壁６１５、第４側壁６１７及びサイドカバー４８０で形成された凸部によって支持される。
【００４６】
拡散板７１１はランプ４５０から出射された光を拡散させて輝度均一性を向上させる。拡散シート７１３は、拡散板７１１によってランダムに拡散された光を一定の拡散角を有する拡散光に変換させる。集光シート７１５は、互いに異なる方向、望ましくは互いに垂直を形成する方向に拡散光を集光してランプ４５０が出射した光の正面輝度を向上させる。
【００４７】
表示装置６００はミドルフレーム７３０をさらに含み得る。ミドルフレーム７３０は光学シート７１０の端をカバーしつつ、収納容器４１０と結合する。
【００４８】
表示パネル７５０は光学シート７１０から出射された光を基礎とし、映像を表示する。表示パネル７５０は第１基板７５１、第１基板７５１と対向する第２基板７５５、及び第１基板７５１と第２基板７５５の間に介在した液晶層を含む。
【００４９】
表示装置６００は印刷回路基板７５７及び連結フィルム７５８をさらに含み得る。印刷回路基板７５７は表示パネル７５０にパネル駆動信号を出力する。連結フィルム７５８の一段は第１基板７５１の端に電気的に接続され、連結フィルム７５８の他段は印刷回路基板７５７と電気的に接続される。
【００５０】
表示装置６００は表示パネル７５０の有効表示領域を露出し、収納容器４１０又はミドルフレーム７３０と結合するトップシャーシ７７０をさらに含み得る。
【産業上の利用可能性】
【００５１】
本発明のバックライトアセンブリ及び表示装置は、液晶表示装置などのような平板型表示装置に使用される。
【００５２】
以上、本発明の利点と特徴、及びそれらを達成する方法を添付した図面と共に本発明の望ましい実施形態を参照して詳細に説明した。
しかし本発明は、該当技術分野の熟練した当業者あるいは該当技術分野における通常の知識を有する者であれば、特許請求範囲に記載された本発明の思想及び技術領域から外れない範囲内で、以上に開示した実施形態と相異なる多様な形態でも具現できるので、以上に開示した実施形態に限定されるものではない。
むしろ本実施の形態は、本発明の開示を完全にし、本発明が属する技術分野における通常の知識を有する者に発明の範疇を完全に知らせるために提供するものである。
【図面の簡単な説明】
【００５３】
【図１】本発明の一実施形態によるランプソケットの斜視図である。
【図２】図１に図示されたランプソケットの側面図である。
【図３】図１及び図２に図示された電力印加部材の斜視図である。
【図４】本発明の一実施形態による電力印加モジュールの斜視図である。
【図５】図４に図示された電力印加モジュールの分解斜視図である。
【図６】本発明の一実施形態によるバックライトアセンブリの分解斜視図である。
【図７】図６に図示されたバックライトアセンブリをＡ−Ａ’線に従い切断した断面図である。
【図８】本発明の一実施形態による表示装置の分解斜視図である。
【図９】図８に図示された表示装置をＢ−Ｂ’線に従い切断した断面図である。
【符号の説明】
【００５４】
２０    ランプソケット
３０    ソケット本体
３１    電源供給基板挿入ホール
３５    接続ホール
４０    電力印加部材
４１    第１プレート
４２    第１ガイド溝
４３    板スプリング
４４    ランプ接続端子
４５    電源供給基板接続端子
４６    端子連結部
２００    電力印加モジュール
２６０    連結プレート
２６５    ソケット固定部
４００    バックライトアセンブリ
４０５    底板
４０７    開口部
４０９    反射板
４１０    収納容器
４１１、４１３、４１５、４１７    側壁
４５０    ランプ
４５１    ランプ本体
４５５    電極部
４７０    電源供給基板
４７５    ケース
４８０    サイドカバー
６００    表示装置
７１０    光学シート
７１１    拡散版
７１３    拡散シート
７１５    集光シート
７３０    ミドルフレーム
７５０    表示パネル
７５１    第１基板
７５５    第２基板
７５７    印刷回路基板
７５８    連結フィルム
７７０    トップシャーシ
【図１】
0005216410.tif 000002
【図２】
0005216410.tif 000003
【図３】
0005216410.tif 000004
【図４】
0005216410.tif 000005
【図５】
0005216410.tif 000006
【図６】
0005216410.tif 000007
【図７】
0005216410.tif 000008
【図８】
0005216410.tif 000009
【図９】
0005216410.tif 000010